(57)【要約】【課題】ロール組立体１９０を、インクジェット式記録装置１００の装填部１３０に容易且つ確実に装填する。【解決手段】長尺の被記録媒体を巻き重ねたロール１９２およびロール１９２よりも外側に延在してロール１９２と共に回転するフランジ１９４を含むロール組立体１９０を装填する装填部１３０と、インクを吐出する記録ヘッドを含み、装填部１３０に装填されたロール組立体１９０から被記録媒体を引き出しながら当該被記録媒体にインクを付着させることにより画像を順次形成する記録部１４０と、装填部１３０に装填する場合のロール組立体１９０の移動方向について装填部１３０よりも手前の位置でロール組立体１９０を支持する仮置き部材１５２と、仮置き部材１５２から装填部１３０までのロール組立体１９０の移動を案内する案内部１５０とを有する。【選択図】図３
2009023171.tif 000002
【特許請求の範囲】
【請求項１】
長尺の被記録媒体を巻き重ねたロールおよび前記ロールよりも外側に延在して前記ロールと共に回転する支持部材を含むロール組立体を装填する装填部と、
インクを吐出する記録ヘッドを含み、前記装填部に装填された前記ロールから被記録媒体を引き出しながら当該被記録媒体にインクを付着させることにより画像を順次形成する記録部と、
前記装填部に装填する場合の前記ロール組立体の移動方向について前記装填部よりも所定距離離れた位置で前記ロール組立体を支持する仮置き部と、
前記仮置き部から前記装填部までの前記ロール組立体の移動を案内する案内部と
を有する記録装置。
【請求項２】
前記支持部材は、
前記ロールに対して当該ロールの径よりも大径のフランジ部材と、
前記ロールの内側に挿通され、前記ロールに対して当該ロールの軸方向に外側まで延在するスピンドル部材、とを含み、
前記仮置き部は、前記フランジ部材の外周部に当接して前記ロール組立体を前記案内部に案内し、
前記案内部は、前記スピンドル部材の外周面に当接して前記ロール組立体を装填部に案内する請求項１に記載の記録装置。
【請求項３】
前記仮置き部は、前記ロール組立体を支持する場合に、前記ロール組立体の下面に手を差し込める間隙を形成する凹部を有する請求項１に記載の記録装置。
【請求項４】
前記装填部は、前記ロール組立体が装填されたときの前記フランジ部材との間に所定の空間を有して配設される内壁を備え、当該空間は、前記仮置き部側から前記装填部の側に接近するほど狭くなる請求項１に記載の記録装置。
【請求項５】
前記仮置き部は、前記仮置き部から前記装填部への前記ロール組立体の移動方向について上流側に、前記フランジ部材の当接部から上方へ向かって隆起する隆起部を有する請求項１に記載の記録装置。
【請求項６】
前記仮置き部は、前記仮置き部から前記装填部への前記ロール組立体の移動方向について側方の端部に、前記フランジ部材の当接部から上方へ向かって隆起する隆起部を有する請求項１に記載の記録装置。
【請求項７】
前記仮置き部および前記案内部は、前記支持部材を部分的に収容して、前記ロール組立体の向きを前記装填部に装填した状態にそろえる案内溝を、前記仮置き部から前記装填部の直前までの間に有する請求項１に記載の記録装置。
【請求項８】
前記案内部は、前記支持部材において一定の径を有する部分に接して当該部分を転動させることにより前記ロール組立体を案内する請求項１に記載の記録装置。
【請求項９】
長尺の被搬送媒体を巻き重ねたロールおよび前記ロールよりも外側に延在して前記ロールと共に回転する支持部材を含むロール組立体を装填する装填部と、
前記装填部に装填された前記ロールから引き出された前記被搬送媒体を搬送する搬送部と
を有する被搬送媒体搬送装置において、
前記装填部に装填する場合の前記ロール組立体の移動方向について前記装填部より所定距離離れた位置で前記ロール組立体を支持する仮置き部と、
前記仮置き部から前記装填部までの前記ロール組立体の移動を案内する案内部と
を有する被搬送媒体搬送装置。
【発明の詳細な説明】
【技術分野】
【０００１】
本発明は、記録装置および被搬送媒体搬送装置に関する。より詳細には、巻き重ねたロールから媒体を引き出す被搬送媒体搬送装置と、それを備えた記録装置とに関する。
【背景技術】
【０００２】
微細なノズルを備えた記録ヘッドからインク等の液体を吐出して被記録媒体に付着させるインクジェット式記録装置がある。この種の装置は、記録ヘッドを所定の主走査方向に往復させる一方、主走査方向に対して交差する搬送方向に被記録媒体を移動させる搬送部を備え、主走査および搬送を組み合わせることにより被記録媒体上の任意の領域に液体を付着させて画像を形成する。
【０００３】
このような構造を有する記録装置において、主走査方向の往復移動範囲は装置の仕様により決定され、１ｍを越える主走査幅を有してポスター等の大型の画像を記録できるものもある。一方、搬送方向については被記録媒体の長さは制限されない。そこで、長尺の被記録媒体を巻き重ねたロールを装填して、横断幕、懸垂幕等の長い画像を形成する記録装置もある。
【０００４】
ロールを装填できる記録装置では、ロールを装填する装填部が記録装置の最上部に配置される。このため、記録装置にロールを装填する場合は、記録装置全体の高さまでロールを持ち上げなければならない。
【０００５】
また、画像を記録された後の被記録媒体は、取り扱いの便宜を図る目的でユーザにとって手前側に排出される。このため、記録装置の内部に形成される被記録媒体の経路は、記録装置の高さを抑制する目的で、垂直面に対して傾斜して形成される。このため、装填部は、ユーザにとって記録装置の奥に配置される。
【０００６】
これらの事情を併せると、記録装置にロールを装填する場合は、記録装置の高さまでロールを持ち上げ、更に、記録装置の奥まで差し出さなければならない。しかしながら、長く幅の広い被記録媒体を巻き重ねたロールはかなり重く、１０ｋｇを越えるものもある。そこで、記録装置に対するロールの装填を容易にする発明が提案されている。
【０００７】
下記の特許文献１には、大型プリンタのスピンドル受けにおいて、一方のスピンドル受けを水平に回動させることが記載される。これにより、ロールの片側をまず装填して、それから他方を装填することができる。従って、重いロールを持ち上げたままスピンドル受けに位置を合わせる作業の負担を軽減できる。
【０００８】
また、下記の特許文献２には、ロール紙をセットする軸受け部の直前に仮置き部を設けて、ロール紙を段階的にセットすることが記載される。これにより、軸受け部にロール紙を位置合わせする作業の負担を軽減できる。
【特許文献１】特開２０００−０７１５３４号公報
【特許文献２】特開２００１−１３０７９２号公報
【発明の開示】
【発明が解決しようとする課題】
【０００９】
しかしながら、いずれの構造においても、ユーザが持ち上げたロールを、記録装置を越えさせて装填しなければならないことに変わりはない。このため、ロールの装填を重作業とすると共に、大型の記録装置の操作を面倒なものにしていた。
【課題を解決するための手段】
【００１０】
そこで、上記課題を解決する目的で、本発明の第１の形態として、長尺の被記録媒体を巻き重ねたロールおよびロールよりも外側に延在してロールと共に回転する支持部材を含むロール組立体を装填する装填部と、インクを吐出する記録ヘッドを含み、装填部に装填されたロールから被記録媒体を引き出しながら当該被記録媒体にインクを付着させることにより画像を順次形成する記録部と、装填部に装填する場合のロール組立体の移動方向について装填部よりも所定距離離れた位置でロール組立体を支持する仮置き部と、仮置き部から装填部までのロール組立体の移動を案内する案内部とを有する記録装置が提供される。これにより、重いロールをユーザに近い仮置き部に載せた後、案内部を転がすことにより、装填部に容易に装填できる。
【００１１】
また、上記記録装置において、支持部材は、ロールに対して当該ロールの径よりも大径のフランジ部材と、ロールの内側に挿通され、ロールに対して当該ロールの軸方向に外側まで延在するスピンドル部材、とを含み、仮置き部は、フランジ部材の外周部に当接してロール組立体を案内部に案内し、案内部は、スピンドル部材の外周面に当接してロール組立体を装填部に案内してもよい。これにより、仮置き部および案内部を移動する間にロールに巻かれた被記録媒体の表面を損傷または汚染することが防止される。また、案内部を移動させる場合に大径のフランジ部材を転がすので、迅速に移動させることができる。更に、仮置き部および案内部を移動する間にロールに巻かれた被記録媒体の表面を損傷または汚染することが防止される。また更に、案内部を移動させる場合に小径のスピンドル部材を転がすので移動速度を抑制できる。
【００１２】
また更に、上記記録装置において、仮置き部は、ロール組立体を支持する場合に、ロール組立体の下面に手を差し込める間隙を形成する凹部を有してもよい。これにより、重いロールを下方から支持して、安全に仮置き部に載せることができる。
【００１３】
また更に、上記記録装置において、装填部は、ロール組立体が装填された場合に、フランジとの間に所定の空間を有して配設される内壁を備え、当該空間は、仮置き部側から装填部側に接近するほど狭くてもよい。これにより、仮置き部の幅が広くなり、ロールを載せやすくなる。また、装填部にロールを移動する間にロールが幅方向にも案内されるので、装填部において適切な位置に誘導される。
【００１４】
また更に、上記記録装置において、仮置き部は、仮置き部から装填部へのロール組立体の移動方向について上流側に、フランジの当接部から上方へ向かって隆起する隆起部を有してもよい。また、上記記録装置において、仮置き部は、仮置き部から装填部へのロール組立体の移動方向について側方の端部に、フランジの当接部から上方へ向かって隆起する隆起部を有してもよい。これにより、仮置き部に載せたロールがユーザ側あるいは側方に転落することを未然に防止できる。
【００１５】
また更に、上記記録装置において、仮置き部および案内部は、支持部材を部分的に収容して、ロール組立体の向きを装填部に装填した状態にそろえる案内溝を、仮置き部から装填部の直前までの間に有してもよい。これにより、仮置き部に載せたときの向きに関わらず、ロールを適切な向きにして装填することができる。
【００１６】
また更に、上記記録装置において、案内部は、支持部材において一定の径を有する部分に接して当該部分を転動させることによりロール組立体を案内してもよい。これにより、後述する張力付与部材の固定部等、断面が円形ではない部分に応力または負荷がかかることがない。従って、その部分を損傷することが防止されると共に、ロールを円滑に転動させることができる。
【００１７】
また、本発明の第２の形態として、長尺の被搬送媒体を巻き重ねたロールおよびロールよりも外側に延在してロールと共に回転する支持部材を含むロール組立体を装填する装填部と、装填部に装填されたロールから引き出された被搬送媒体を搬送する搬送部とを有する被搬送媒体搬送装置において、装填部に装填する場合のロール組立体の移動方向について装填部より所定距離離れた位置でロール組立体を支持する仮置き部と、仮置き部から装填部までのロール組立体の移動を案内する案内部とを有する被搬送媒体搬送装置が提供される。これにより、ロール状の媒体を搬送する種々の設備において、上記の効果を広く享受できる。
【００１８】
なお、上記の発明の概要は、本発明の必要な特徴の全てを列挙したものではない。また、これらの特徴群のサブコンビネーションも発明となり得る。
【発明を実施するための最良の形態】
【００１９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【実施例１】
【００２０】
図１は、実施の形態に係るインクジェット式記録装置１００の斜視図である。同図に示すように、このインクジェット式記録装置１００は、長手方向が水平に配置された記録部１４０と、記録部１４０の端部に装着された筐体１１０と、記録部１４０の上側に装着された装填部１３０と、記録部１４０および筐体１１０を下方から支持する脚部１７０とを備える。
【００２１】
装填部１３０の内部には、長尺の被記録媒体を巻き重ねたロール１９２を含むロール組立体１９０が装填されるが、この図ではロール組立体１９０はロールカバー１３２に覆われる。記録部１４０は、トップカバー１４２およびフロントカバー１４４によりその内部機構が覆われている。記録部１４０の内部には後述する記録ヘッド等が配置され、装填部１３０のロール１９２からから引き出されて記録部１４０に給送された被記録媒体に対してインクが吐出される。
【００２２】
記録部１４０において画像を形成された被記録媒体は、記録部１４０の下方に形成された排出部１６０から外部に排出される。なお、脚部１７０は、排出部１６０を通過した被記録媒体１９１をスタックするスペースを形成する目的で装着される。
【００２３】
筐体１１０は、記録部１４０から退避した記録ヘッドが待機するホームポジションのスペースを形成すると共に、その下部に、カートリッジホルダ１２０を有する。カートリッジホルダ１２０においては、その表面を覆うカートリッジカバー１２２の下に、記録ヘッドに供給するインクを収容したインクカートリッジ１２４が装着される。
【００２４】
また、筐体１１０の上面には、操作パネル１８０が配置される。操作パネル１８０は、ユーザが操作する複数のスイッチ１８２の他、インクジェット式記録装置１００の動作状態を示す表示部１８４も含む。従って、ユーザは、操作パネル１８０およびカートリッジホルダ１２０が配置された側を前面として、この前面側からインクジェット式記録装置１００を操作する。
【００２５】
更に、このインクジェット式記録装置１００においては、記録部１４０のトップカバー１４２の上面に、その略全幅にわたって仮置き部材１５２が装着される。また、仮置き部材１５２および装填部１３０の間に、やはりトップカバー１４２の略全幅にわたって形成された仮止め溝１５４が形成される。更に、仮置き部材１５２の長手方向両端から装填部１３０に向かって、案内部１５０の案内斜面１５３および案内面１５６が配置される。
【００２６】
図２は、図１に示したインクジェット式記録装置１００にロール組立体１９０を装填する場合の最初の段階を示す図である。同図に示すように、インクジェット式記録装置１００においては、装填部１３０のロールカバー１３２が開かれ、その内部の両端にスピンドル支持部１３４が現れる。また、この段階では、ロール組立体１９０は、仮置き部材１５２の上に載置される。
【００２７】
ここに装填するロール組立体１９０は、長尺の連続した被記録媒体を巻き重ねたロール１９２と、被記録媒体の縁部を保護する目的でロール１９２の両端に装着された一対のフランジ１９４と、ロール１９２およびロール１９２の中心に挿通されたスピンドル部材１９６とを一体にして形成される。また、スピンドル部材１９６の一端（図上では左端）には、張力発生装置１９８が装着される。
【００２８】
張力発生装置１９８は、装填部１３０のスピンドル支持部１３４に対して嵌合して、スピンドル支持部１３４に対するスピンドル部材１９６の回転に対して抵抗を発生する。これにより、ロール１９２から被記録媒体を引き出した場合に、被記録媒体に張力をかけて巻き癖に打ち勝って平坦にする。また、ロール１９２からの被記録媒体の引き出しが停止した場合に、ロール１９２が過剰に回転して被記録媒体に弛みが発生することを防止できる。
【００２９】
図３は、図２に示した状態を縦断面により示す図である。同図に示すように、仮置き部材１５２は、装填部１３０から離れた、インクジェット式記録装置１００の前端側近傍に配置される。従って、ユーザは、重量のあるロール組立体１９０を後方の装填部１３０まで差し出すことなく、容易にロール組立体１９０を仮置き部材１５２に載せることができる。
【００３０】
また、ロール組立体１９０は、そのフランジ１９４の外周において、仮置き部材１５２に当接して支持される。これにより、ロールが仮置き部材１５２に直接に接触して傷むことがない。
【００３１】
なお、最終的な装填状態においては、ロール組立体１９０のスピンドル部材１９６が、装填部１３０のスピンドル支持部１３４に嵌まり込む。従って、仮置き部材１５２に載置されたロール組立体１９０は、案内部１５０に案内されて、装填部１３０まで移動するが、この移動については後述する。
【００３２】
また、図中に示すように、仮置き部材１５２の前端には、仮置き部材１５２の上面から上方に隆起した前端隆起部１５１が形成され、フランジ１９４の外周に当接可能となり、ロール組立体１９０のインクジェット式記録装置１００の前方への回転を規制する。さらに、左右に仮置き部材１５２の上面から上方に隆起した側端隆起部３００が形成され、フランジ１９４の側面に対向することから、ロール組立体１９０の左右方向への移動を規制する。これにより、仮置き部材１５２に載せたロール組立体１９０がインクジェット式記録装置１００の前方、及び左右に転落することが防止される。
【００３３】
更に、仮置き部材１５２は、記録部１４０のトップカバー１４２の上面に装着されており、その側方に他の部材は存在せず、開放されている。従って、ユーザは、例えばスピンドル部材１９６の両端を持って、インクジェット式記録装置１００の側方からロール組立体１９０を運搬および載置できる。
【００３４】
図４は、ロール組立体１９０をインクジェット式記録装置１００に装填する場合の次の段階を示す斜視図である。同図に示すように、この段階においては、仮置き部材１５２の上面を転動したロール組立体１９０が、仮置き部材１５２および装填部１３０の間に形成された仮止め溝１５４に落とし込まれる。
【００３５】
図５は、図４に示した状態を縦断面により示す図である。同図に示すように、仮止め溝１５４は、その前端および後端において、フランジ１９４の外周に当接する。また、図１に示したように、仮止め溝１５４は、装填部１３０と平行に形成される。従って、仮止め溝１５４に落とし込むことにより、ロール組立体１９０は、装填部１３０と平行になる。換言すれば、仮置き部材１５２に載せる段階では、ロール組立体１９０の向きを装填部１３０に対して正確に平行にしなくてもよいので、ロール組立体１９０の載置はより容易になる。
【００３６】
この状態からロール組立体１９０を更に転動させて前進させると、やがて、案内斜面１５３の上端近傍においてスピンドル部材１９６が案内部１５０に当接する。従って、スピンドル部材１９６が案内斜面１５３に当接した位置から先は、ロール組立体１９０全体は、スピンドル部材１９６を介して案内部１５０から支持される。また、ここから先は、スピンドル部材１９６が案内面１５６上を転動することにより、ロール組立体１９０はスピンドル支持部１３４に向かって前進する。この時、フランジ１９４の側面と案内部１５０とが対向するので、転動中のロール組立体１９０の左右方向の規制となり、左右方向にずれることはない。なお、スピンドル部材１９６の径はフランジ１９４の径よりも小さいので、ロール組立体１９０の同じ回転数に対する前進量は、この段階において遅くなる。
【００３７】
図６は、ロール組立体１９０を更に前進させて装填部１３０に装填し終わった状態を示す斜視図である。同図に示すように、ロール組立体１９０は装填部１３０に収容され、ロールカバー１３２を閉じることにより図１に示した状態となる。なお、前記したように、仮止め溝１５４においてロール組立体１９０の向きは装填部１３０に装填された状態と同じ方向に修正されている。従って、スピンドル部材１９６の両端は、スピンドル支持部１３４に同時に落ち込む。
【００３８】
図７は、図６に示した状態を縦断面により示す図である。同図に示すように、ロール組立体１９０のスピンドル部材１９６は、案内部１５０の後端に形成されたスピンドル支持部１３４に落とし込まれている。これにより、ロール組立体１９０は、被記録媒体を引き出されても、装填部１３０から脱落することはない。
【００３９】
図８は、図６および図７に示した状態を正面から見た様子を示す図である。同図に示すように、スピンドル部材１９６の先端には、保護キャップ１９９が装着されている。また、保護キャップ１９９の径は、その機能に鑑みてスピンドル部材１９６よりも僅かに大きい。しかしながら、保護キャップ１９９を形成する材料は、ロール組立体１９０全体を支持する強度を有していない。そこで、案内部１５０の案内面１５６には、逃げ溝１５８が形成され、保護キャップ１９９が案内部１５０に当接して損傷することを防止している。
【００４０】
なお、スピンドル部材１９６の他端に装着された張力発生装置１９８も、案内面１５６上で円滑に転動し難い形状を有する。従って、反対側の案内面１５６にも、張力発生装置１９８が案内面１５６に当接しないように、より幅の広い逃げ溝１５８が形成される。
【００４１】
また、ロール組立体１９０のフランジ１９４と装填部１３０の内壁面１３６の間には、人の手が差し込める程度の空間が設けられている。これにより、ロール組立体１９０を操作するユーザの手が挟まれることを防止している。
【００４２】
更に、図中に示すように、装填部１３０の内壁面１３６は、案内面１５６の上方の内壁面１５９よりも狭い。一方、スピンドル部材１９６に装着された保護キャップ１９９の外面はテーパ状に成形される。従って、ロール組立体１９０が装填部１３０に落ち込むときに、ロール組立体１９０は更に正確に、装填部１３０の中央に案内される。
【００４３】
図９は、他の実施形態に係る仮置き部材１５５を装着したインクジェット式記録装置１００の外観を示す斜視図である。同図に示すように、このインクジェット式記録装置１００に装着された仮置き部材１５５は、その長手方向について一部が取り除かれており、その部分では、記録部１４０のトップカバー１４２に露出部１４１が形成される。
【００４４】
図１０は、上記インクジェット式記録装置１００の仮置き部材１５５に、ロール組立体１９０を載置した状態を示す図である。同図に示すように、この状態では、仮置き部材１５５に載せられたロール組立体１９０とトップカバー１４２の露出部１４１との間に大きな間隙が形成される。これにより、下方から手で支えたままロール組立体１９０を仮置き部材１５５上に載置することができる。従って、ロール組立体１９０の載置はより容易且つ安全になる。
【００４５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４６】
【図１】実施形態に係るインクジェット式記録装置１００の外観を示す斜視図である。
【図２】インクジェット式記録装置１００にロール組立体１９０を装填する最初の段階を示す斜視図である。
【図３】図２に示した段階を縦断面により示す図である。
【図４】インクジェット式記録装置１００にロール組立体１９０を装填する次の段階を示す斜視図である。
【図５】図４に示した段階を縦断面により示す図である。
【図６】インクジェット式記録装置１００にロール組立体１９０を装填した状態を示す斜視図である。
【図７】図６に示した段階を縦断面により示す図である。
【図８】案内部１５０を正面から見た様子を示す図である。
【図９】他の実施形態に係る仮置き部材１５５の形状を示す斜視図である。
【図１０】仮置き部材１５５にロール組立体１９０を置いた状態を示す斜視図である。
【符号の説明】
【００４７】
１００  インクジェット式記録装置、１１０  筐体、１２０  カートリッジホルダ、１２２  カートリッジカバー、１２４  インクカートリッジ、１３０  装填部、１３２  ロールカバー、１３４  スピンドル支持部、１３６、１５９  内壁面、１４０  記録部、１４１  露出部、１４２  トップカバー、１４４  フロントカバー、１５０  案内部、１５１  前端隆起部、１５２、１５５  仮置き部材、１５３  案内斜面、１５４  仮止め溝、１５６  案内面、１５８  逃げ溝、１６０  排出部、１７０  脚部、１８０  操作パネル、１８２  スイッチ、１８４  表示部、１９０  ロール組立体、１９２  ロール、１９４  フランジ、１９６  スピンドル部材、１９８  張力発生装置、１９９  キャップ、３００  側端隆起部
【図１】
2009023171.tif 000003
【図２】
2009023171.tif 000004
【図３】
2009023171.tif 000005
【図４】
2009023171.tif 000006
【図５】
2009023171.tif 000007
【図６】
2009023171.tif 000008
【図７】
2009023171.tif 000009
【図８】
2009023171.tif 000010
【図９】
2009023171.tif 000011
【図１０】
2009023171.tif 000012